(57)【要約】  内容物収容部を有する内袋（２０）と、内袋（２０）を収容する外袋（１０）とを備える包装袋（３０）において、スパウト部材（３２）を、内袋（２０）および外袋（１０）と接合するためのスパウト接合構造であって、スパウト部材（３２）は、内容物収容部と外袋の外部とを連通するための筒部（３３）と、筒部（３３）の外周部において内袋（２０）および外袋（１０）と接合されるフランジ部（３４）とを有し、同一のフランジ部（３４）に対して、内袋（２０）が接合された領域（２３）とは異なる領域（１３）に、外袋（１０）を構成するフィルム（１１）の最内層（１１ｓ）が接合されている。
2019168020.tif 000002
【特許請求の範囲】
【請求項１】
内容物収容部を有する内袋と、前記内袋を収容する外袋とを備える包装袋において、スパウト部材を、前記内袋および前記外袋と接合するためのスパウト接合構造であって、
前記スパウト部材は、前記内容物収容部と前記外袋の外部とを連通するための筒部と、前記筒部の外周部において前記内袋および前記外袋と接合されるフランジ部とを有し、同一のフランジ部に対して、前記内袋が接合された領域とは異なる領域に、前記外袋を構成するフィルムの最内層が接合されている、スパウト接合構造。
【請求項２】
前記フランジ部が、前記内袋が接合される領域と、前記外袋が接合される領域とを、同一の接合面上に有する、請求項１に記載のスパウト接合構造。
【請求項３】
前記内袋が、前記筒部が挿入されるスパウト挿入穴を有し、前記スパウト挿入穴を通して、前記外袋を構成するフィルムの最内層が前記フランジ部に接合されている、請求項１または２に記載のスパウト接合構造。
【請求項４】
前記外袋が、前記筒部が挿入されるスパウト挿入穴を有し、前記内袋のスパウト挿入穴が、前記外袋のスパウト挿入穴より大きく形成されている、請求項３に記載のスパウト接合構造。
【請求項５】
前記内袋と前記スパウト部材との接合が、前記スパウト部材の全周にわたって連続的にシールされている、請求項１〜４のいずれか１項に記載のスパウト接合構造。
【請求項６】
内容物収容部を有する内袋と、前記内袋を収容する外袋とを備える二重袋であって、請求項１〜５のいずれか１項に記載のスパウト接合構造を有する二重袋。
【発明の詳細な説明】
【技術分野】
【０００１】
本発明は、スパウト接合構造および二重袋に関する。
本願は、２０１８年３月１日に、日本に出願された特願２０１８−３６８４５号に基づき優先権を主張し、その内容をここに援用する。
【背景技術】
【０００２】
内容物を収容する内袋と、前記内袋を収容する外袋とかなる二重袋において、内袋の内部と外袋の外部とを連通させるためのスパウトを取り付けた包装体が知られている（例えば、特許文献１，２）。
内袋および外袋にスパウトを接合するための構造としては、内袋フィルムと外袋フィルムとを積層して、スパウトに形成した同一のフランジ上に重ね合わせ、接合する構造（例えば、特許文献３）や、スパウトに形成した２つのフランジ部に、内袋フィルムと外袋フィルムをそれぞれ１枚ずつ接合する構造（例えば、特許文献４）が知られている。
【先行技術文献】
【特許文献】
【０００３】
【特許文献１】特開２００５−１１２３６３号公報
【特許文献２】国際公開第２０１６／０３９２４８号
【特許文献３】実開平０４−０４１８４８号公報
【特許文献４】実開平０３−１１４７３８号公報
【発明の概要】
【発明が解決しようとする課題】
【０００４】
特許文献３に記載のように、２枚のフィルムを同一フランジ上に重ね合わせると、外袋フィルムは内袋フィルムに対して接合されるので、フィルムのフランジへの接合が充分でなかったり、外袋と内袋とが一体でフランジから剥がれたりするおそれがある。特許文献４に記載のように、フィルムごとに別々のフランジを形成すると、スパウトの構造が複雑になるとともに、スパウト接合部で包装体が嵩張ってしまう課題があった。【０００５】
本発明は、上記事情に鑑みて、フランジを内袋および外袋と強固に接合することが可能なスパウト接合構造および二重袋を提供することを課題とする。
【課題を解決するための手段】
【０００６】
前記課題を解決するため、本発明は、内容物収容部を有する内袋と、前記内袋を収容する外袋とを備える包装袋において、スパウト部材を、前記内袋および前記外袋と接合するためのスパウト接合構造であって、前記スパウト部材は、前記内容物収容部と前記外袋の外部とを連通するための筒部と、前記筒部の外周部において前記内袋および前記外袋と接合されるフランジ部とを有し、同一のフランジ部に対して、前記内袋が接合された領域とは異なる領域に、前記外袋を構成するフィルムの最内層が接合されている、スパウト接合構造を提供する。【０００７】
前記フランジ部が、前記内袋が接合される領域と、前記外袋が接合される領域とを、同一の接合面上に有してもよい。
前記内袋が、前記筒部が挿入されるスパウト挿入穴を有し、前記スパウト挿入穴を通して、前記外袋を構成するフィルムの最内層が前記フランジ部に接合されていてもよい。
前記外袋が、前記筒部が挿入されるスパウト挿入穴を有し、前記内袋のスパウト挿入穴が、前記外袋のスパウト挿入穴より大きく形成されていてもよい。
前記内袋と前記スパウト部材との接合が、前記スパウト部材の全周にわたって連続的にシールされていてもよい。【０００８】
また、本発明は、内容物収容部を有する内袋と、前記内袋を収容する外袋とを備える二重袋であって、前記のスパウト接合構造を有する二重袋を提供する。
【発明の効果】
【０００９】
本発明によれば、同一のフランジ部に内袋および外袋をシールしているので、スパウトの構造を複雑にすることなく、フランジ部を内袋および外袋と強固に接合することができる。
【図面の簡単な説明】
【００１０】
【図１】第１実施形態のスパウト接合構造を示す断面図である。
【図２】第１実施形態のスパウト接合構造を有する包装袋の一例を示す斜視図である。
【図３】第２実施形態のスパウト接合構造を示す斜視図である。
【図４】第２実施形態のスパウト接合構造を示す断面図である。
【発明を実施するための形態】
【００１１】
以下、好適な実施形態に基づき、図面を参照して本発明を説明する。
図１に、第１実施形態のスパウト接合構造を示す。また、図２に、このスパウト接合構造を有する包装袋の一例を示す。
本実施形態の包装袋３０の本体部３１は、内容物収容部を有する内袋２０と、内袋２０を収容する外袋１０とを備える。本実施形態の包装袋３０は、内袋２０の内部と外袋１０の外部とを連通するためのスパウト部材３２を有する。
【００１２】
内袋２０の容量は、例えば１リットル未満または数リットル程度でもよく、数十リットル以上の大型容器に適用することも可能である。内容物としては、液体、粉体、粒体等の流動物が好ましい。内容物の具体例としては、飲料、調味料、濃縮原液、食品添加物、香料、油脂をはじめとする飲食物および原料、あるいは、洗剤、写真現像液、液体肥料、接着剤、水性ペイント、液状樹脂、バッテリー液、現像液、各種工業薬品、医薬品をはじめとする非食品などが挙げられる。また、内容物自体の流動性があれば、液体や粉粒体等の流動物に、線状や小片状などの固形物が分散した混合物に適用することも可能である。固形物が海藻類など柔軟な変形性を有する場合、スパウト部材３２を通すときに詰まりにくいので、液体と混合することにより流動性を確保することができる。
【００１３】
外袋１０および内袋２０を構成するフィルム１１，２１は、例えば樹脂フィルムまたは樹脂層を含む積層フィルムから構成されてもよい。樹脂フィルムは、１の樹脂層からなる単層フィルムでもよく、２以上の複層を含む多層フィルムでもよい。以下、外袋１０を構成するフィルム１１を「外袋フィルム１１」、内袋２０を構成するフィルム２１を「内袋フィルム２１」という場合がある。また、外袋フィルム１１と内袋フィルム２１を総称して、単に「フィルム１１，２１」という場合がある。
【００１４】
フィルム１１，２１を構成できる単層フィルムとしては、熱可塑性樹脂等のシーラント樹脂からなるフィルムが用いられる。フィルム１１，２１を構成できる多層フィルムとしては、熱可塑性樹脂等をシーラント層とし、これに基材層として、ポリエチレンテレフタレート（ＰＥＴ）等のポリエステル樹脂、ナイロン（Ｎｙ）等のポリアミド樹脂、ポリプロピレン（ＰＰ）、エチレン−ビニルアルコール共重合体（ＥＶＯＨ）等の樹脂層を積層したもの等が用いられる。シーラント層を構成する熱可塑性樹脂としては、ポリエチレン（ＰＥ）、無延伸ポリプロピレン（ＰＰ）、環状ポリオレフィン（ＣＯＰやＣＯＣ）、ポリエステル、これらの変性樹脂等が挙げられる。
シーラント層を構成する熱可塑性樹脂及び基材層を構成する樹脂としては、バイオマスから得られる植物由来の原料を用いた樹脂を用いることもできる。
【００１５】
基材層には、酸素や水蒸気等のガスを遮断するためのガスバリア層として、例えばアルミニウムなどの金属蒸着層、酸化ケイ素や酸化アルミニウム等の無機化合物蒸着層、ＥＶＯＨや塩化ビニリデン（ＰＶＤＣ）等のガスバリア性樹脂層、アルミニウム箔等の金属箔、クラフト紙等の１種以上を組み合わせて積層することもできる。シーラント層と基材層とを積層する方法としては、ドライラミネート法、押出ラミネート法、共押出法等が挙げられる。シーラント層と樹脂層の間には、両者を接着するため接着剤や接着性樹脂からなる接着層やアンカー剤層等を設けてもよい。樹脂層と樹脂以外の材料層を含む複合フィルムにおいて、樹脂以外の材料としては、金属、紙、ゴム、不織布等が挙げられる。
【００１６】
スパウト部材３２は、内容物収容部と外袋の外部とを連通するための筒部３３と、外袋１０および内袋２０と接合されるフランジ部３４とを有する。筒部３３の外周部には、一つのフランジ部３４が形成されている。スパウト部材３２を開閉するため、スパウト部材３２には、キャップ、コック等が設けられてもよい。筒部３３には、内袋２０の外側または内側に向けてチューブ、連通管等の部品が接続されてもよい。
【００１７】
フィルム１１，２１は、それぞれ筒部３３が挿入されるスパウト挿入穴１２，２２を有する。内袋２０のスパウト挿入穴２２は、外袋１０のスパウト挿入穴１２より大きく形成されている。これにより、内袋２０のスパウト挿入穴２２を通して、外袋フィルム１１の内面をスパウト部材３２のフランジ部３４と接合することができる。
【００１８】
スパウト部材３２を形成するための材質としては、ポリエチレン（ＰＥ）、ポリプロピレン（ＰＰ）、エチレン―酢酸ビニル共重合体（ＥＶＡ）、ポリエチレンテレフタレート（ＰＥＴ）などのポリエステル、ナイロン等のポリアミド、接着性ポリオレフィン、環状ポリオレフィン、ポリブチレンなどの熱可塑性プラスチック等が挙げられる。スパウト部材３２の全体か、少なくとも外袋１０または内袋２０と接合される領域には、シーラント等の接合可能な材料が設けられていることが好ましい。
熱可塑性プラスチック及びシーラント用の樹脂としては、バイオマスから得られる植物由来の原料を用いた樹脂を用いることもできる。
【００１９】
本実施形態のスパウト接合構造は、フランジ部３４が外袋フィルム１１と接合される領域１３と、フランジ部３４が内袋フィルム２１と接合される領域２３とを有する。図１に示す例では、フランジ部３４の外面が、フィルム１１，２１の内面にシールにより接合されている。フィルム１１，２１は、それぞれ少なくとも内面のみにシーラント層１１ｓ，２１ｓを有してもよい。
【００２０】
本実施形態の場合、外袋接合領域１３は、フランジ部３４に対して外袋フィルム１１のシーラント層１１ｓが接合された領域である。また、内袋接合領域２３は、フランジ部３４に対して内袋フィルム２１のシーラント層２１ｓが接合された領域である。外袋接合領域１３は、フランジ部３４上において、内袋接合領域２３とは異なる領域に設けられている。これにより、一つのフランジ部３４に対して、外袋１０と内袋２０とをそれぞれ直接接合することができる。従って、スパウト部材３２の構造を複雑にすることなく、フランジ部３４を外袋１０および内袋２０と強固に接合することができる。
【００２１】
本実施形態の場合、フランジ部３４は、フィルム１１，２１に対する接合面３４ａとして、筒部３３の長さ方向に対して略垂直な面を有する。これにより、フィルム１１，２１の面が筒部３３の長さ方向に対して略垂直であっても、フィルム１１，２１の内面をフランジ部３４と容易に接合することができる。図示例の接合面３４ａは、筒部３３の長さ方向におけるフランジ部３４の両面３４ａ，３４ｂのうち、筒部３３の先端部３３ａ側の外面３４ａである。筒部３３は、先端部３３ａとは反対側となるフランジ部３４の内面３４ｂ側に延長されてもよい。
【００２２】
外袋接合領域１３と内袋接合領域２３とが、フランジ部３４の同一の接合面３４ａ上に設けられているので、外袋フィルム１１と内袋フィルム２１との間に隙間があっても、フィルム１１，２１が略平行に重なり合い、嵩張りを抑制することができる。
なお、筒部３３の長さ方向において外袋接合領域１３が内袋接合領域２３よりも筒部３３の先端部３３ａ側に近づくように、接合面３４ａが段差や傾斜を有してもよい。外袋接合領域１３に接合された外袋フィルム１１と、内袋接合領域２３に接合された内袋フィルム２１との間に、フランジ部３４の一部が介在しないことが好ましい。
【００２３】
内袋２０が、筒部３３が挿入されるスパウト挿入穴２２を有し、このスパウト挿入穴２２を通して、外袋フィルム１１の最内層がフランジ部３４に接合されているので、外袋フィルム１１の内面を内袋フィルム２１の外面に接合しなくても、外袋フィルム１１をフランジ部３４に接合することができる。
【００２４】
外袋１０が、筒部３３が挿入されるスパウト挿入穴１２を有し、内袋２０のスパウト挿入穴２２が、外袋１０のスパウト挿入穴１２より大きく形成されている場合、外袋１０のスパウト挿入穴１２の周縁部の任意の箇所を、フランジ部３４に接合することができる。
【００２５】
内袋２０とスパウト部材３２との接合は、内容物の漏出を防ぐため、スパウト部材３２の全周にわたって連続的にシールされることが好ましい。これに対し、外袋１０とスパウト部材３２との接合は、スパウト部材３２の全周にわたってもよいし、周方向の一部であってもよい。
【００２６】
特に図示しないが、内袋フィルム２１の外面がフランジ部３４の内面３４ｂに接合可能である場合、フランジ部３４の内面３４ｂに内袋フィルム２１の外面が接合され、フランジ部３４の外面３４ａに外袋フィルム１１の内面が接合されてもよい。外袋１０と内袋２０がそれぞれフランジ部３４の反対側の面に接合される場合、スパウト挿入穴１２，２２の大小関係は特に限定されない。
【００２７】
次に、図３および図４を参照して、第２実施形態のスパウト接合構造について説明する。本実施形態の包装袋４０は、内容物収容部を有する内袋２０と、内袋２０を収容する外袋１０と、内袋２０の内部と外袋１０の外部とを連通するためのスパウト部材４２を有する点で、第１実施形態のスパウト接合構造と共通する。スパウト部材４２は、２段のフランジ部４４，４５を有し、そのうちスパウト部材４２のフランジ部４５がフィルム１１、２１間に挟み込まれて接合されている点は、第１実施形態のスパウト接合構造と異なっている。
【００２８】
この場合、筒部４３に垂直な面内におけるフランジ部４４，４５の形状が、２枚のフィルム１１，２１が対向する方向（図４の左右方向）に短径を有する楕円形であることが好ましく、さらに楕円形の長径方向の両端部がＶ字状に尖った形状であってもよい。
スパウト部材４２のうち先端側のフランジ部４４は、フィルム１１，２１の端部１１ａ，２１ａと筒部４３の先端部４３ａとの間に設けられている。このフランジ部４４は、スパウト部材４２とフィルム１１，２１との接合に関与するものではない。
【００２９】
スパウト部材４２のフランジ部４５は、２枚の内袋フィルム２１の最内層のシーラント層２１ｓ同士を対向させた間に挟みこまれ、フランジ部４５の外面である接合面４５ａ上にフランジ部４５がシールされている。さらに、フランジ部４５の接合面４５ａが内袋フィルム２１に覆われていない領域において、外袋フィルム１１のシーラント層１１ｓがフランジ部４５と接合されている。
【００３０】
外袋接合領域１３と内袋接合領域２３とが、フランジ部４５の同一の接合面４５ａ上に設けられているので、外袋フィルム１１と内袋フィルム２１との間に隙間があっても、フィルム１１，２１が略平行に重なり合い、嵩張りを抑制することができる。なお、外袋接合領域１３が内袋接合領域２３よりも筒部３３の径方向の外側となるように、接合面４５ａが段差や傾斜を有してもよい。外袋接合領域１３に接合された外袋フィルム１１と、内袋接合領域２３に接合された内袋フィルム２１との間に、フランジ部４５の一部が介在しないことが好ましい。
【００３１】
外袋フィルム１１の端部１１ａが、内袋フィルム２１の端部２１ａと比べて、筒部４３の先端部４３ａ側に位置しているので、外袋フィルム１１の端部１１ａ近傍の任意の箇所を、フランジ部４５に接合することができる。
【００３２】
内袋２０とスパウト部材４２との接合は、内容物の漏出を防ぐため、スパウト部材４２の全周にわたって連続的にシールされることが好ましい。これに対し、外袋１０とスパウト部材４２との接合は、スパウト部材４２の全周にわたってもよいし、周方向の一部であってもよい。
【００３３】
上記第１および第２の実施形態のスパウト接合構造は、二重袋などの包装袋に用いることができる。上記実施形態のスパウト接合構造を有する包装袋３０，４０から内容物を注出する場合には、スパウト部材３２，４２を通して、内容物を注出してもよい。包装袋３０，４０に内容物を充填する場合には、スパウト部材３２，４２を通して、内容物を注入してもよい。注出用のスパウト部材とは別に、充填用のスパウト部材を設けてもよい。充填用のスパウト部材を設ける代わりに、内容物を充填する前の段階では外袋１０および内袋２０の周囲で、一部のシール部を未シールとしておき、未シール部を通して内容物を充填した後、未シール部をシールにより閉鎖してもよい。スパウト部材３２，４２から注入した内容物を、スパウト部材３２，４２とは別に内袋２０に設けた弁やフィルターを通じて、内袋２０外の外袋１０内側に移行させてもよい。
【００３４】
以上、本発明を好適な実施形態に基づいて説明してきたが、本発明は上述の実施形態に限定されるものではなく、本発明の要旨を逸脱しない範囲で種々の改変が可能である。
包装袋が三重以上の多重袋である場合、多重袋を構成する複数の袋体のうち、少なくとも２つの袋体が上述の外袋および内袋となるようにスパウト部材が接合されてもよい。
【００３５】
第１実施形態のスパウト接合構造を三重以上の多重袋に適用した場合、多重袋を構成する複数の袋体がそれぞれスパウト部材の筒部が挿入されるスパウト挿入穴を有し、内側の袋体のスパウト挿入穴が、外側の袋体のスパウト挿入穴より大きく形成されていてもよい。この場合、内側の袋体のスパウト挿入穴の周縁部をフランジ部の接合面にシールした領域より内側で、外側の袋体のスパウト挿入穴の周縁部をフランジ部の接合面にシールすることができる。
【００３６】
第２実施形態のスパウト接合構造を三重以上の多重袋に適用した場合、複数の袋体を構成するそれぞれのフィルムの端部が、外側の袋体ほど、筒部の先端部に近い位置に配置されてもよい。この場合、内側の袋体を構成するフィルムの端部をフランジ部の接合面にシールした領域より筒部の先端部に近い側で、外側の袋体を構成するフィルムの端部をフランジ部の接合面にシールすることができる。
【産業上の利用可能性】
【００３７】
本発明によれば、同一のフランジ部に内袋および外袋をシールしているので、スパウトの構造を複雑にすることなく、フランジ部を内袋および外袋と強固に接合することができるから、産業上の利用が可能である。
【符号の説明】
【００３８】
１０…外袋、１１…外袋フィルム、１２…外袋のスパウト挿入穴、１３…外袋接合領域、２０…内袋、２１…内袋フィルム、２２…内袋のスパウト挿入穴、２３…内袋接合領域、３０，４０…包装袋、３１…本体部、３２，４２…スパウト部材、３３，４３…筒部、３４，４４，４５…フランジ部。
【図１】
2019168020.tif 000003
【図２】
2019168020.tif 000004
【図３】
2019168020.tif 000005
【図４】
2019168020.tif 000006
【国際調査報告】
2019168020.tif 000007
2019168020.tif 000008